(57)【特許請求の範囲】
【請求項１】
フレームと、
前記フレームに取り付けられ、下端の待機位置および上端のプレス位置の間において往復上下運動可能なプレス板と、
前記フレームに取り付けられ、前記プレス板を昇降させるプレス板昇降手段と、
前記プレス板の上面に、互いに平行に、かつ互いに近接および離間する方向にスライド運動可能に配置された一対のニップ板と、
前記プレス板に取り付けられ、前記一対のニップ板をスライドさせるニップ板駆動手段と、
前記フレームに設けられ、本身を、予め糊の塗布された背面が下向きになるように両側から挟持し、前記背面が前記一対のニップ板間の間隙の上方において当該間隙に対向するように配置するクランプユニットと、を備え、
前記プレス板上には表紙が配置されて、前記一対のニップ板を覆いかつ前記一対のニップ板を横切る方向にのび、さらに、
前記プレス板昇降手段および前記ニップ板駆動手段を制御する制御部を備えた表紙貼付機において、
前記制御部は、
前記プレス板を前記一対のニップ板とともに前記待機位置から前記プレス位置に近傍する調整位置まで上昇して、前記調整位置で、前記本身の背面に予め塗布された前記糊と、前記プレス板上に配置された前記表紙とが接するようにし、
前記プレス板を前記調整位置で所定の調整待ち時間だけ停止して、
前記プレス板を前記一対のニップ板とともに前記調整位置から前記プレス位置まで上昇して、
その後、前記一対のニップ板を互いに接近して、前記表紙を前記本身に貼付けることを特徴とする表紙貼付機。
【請求項２】
前記制御部は、前記調整位置における前記調整待ち時間の値の入力を受けるためのタッチスクリーンを有し、前記タッチスクリーンから入力された前記調整待ち時間の値に基づいて、前記プレス板昇降手段を制御することを特徴とする請求項１に記載の表紙貼付機。
【請求項３】
フレームと、
前記フレームに取り付けられ、下端の待機位置および上端のプレス位置の間において往復上下運動可能なプレス板と、
前記フレームに取り付けられ、前記プレス板を昇降させるプレス板昇降手段と、
前記プレス板の上面に、互いに平行に、かつ互いに近接および離間する方向にスライド運動可能に配置された一対のニップ板と、
前記プレス板に取り付けられ、前記一対のニップ板をスライドさせるニップ板駆動手段と、
前記フレームに設けられ、本身を、予め糊の塗布された背面が下向きになるように両側から挟持し、前記背面が前記一対のニップ板間の間隙の上方において当該間隙に対向するように配置するクランプユニットと、を備え、
前記プレス板上には表紙が配置されて、前記一対のニップ板を覆いかつ前記一対のニップ板を横切る方向にのび、さらに、
前記プレス板昇降手段および前記ニップ板駆動手段を制御する制御部を備えた表紙貼付機において、
前記制御部は、
所定の上昇速度で、前記プレス板を前記一対のニップ板とともに前記待機位置から前記プレス位置に近傍する調整位置まで上昇して、前記調整位置で、前記本身の背面に予め塗布された前記糊と、前記プレス板上に配置された前記表紙とが接するようにし、
前記上昇速度より遅い所定の調整速度で、前記プレス板を前記一対のニップ板とともに前記調整位置から前記プレス位置まで上昇して、
その後、前記一対のニップ板を互いに接近して、前記表紙を前記本身に貼付けることを特徴とする表紙貼付機。
【請求項４】
前記制御部は、前記調整位置における前記調整速度の値の入力を受けるためのタッチスクリーンを有し、前記タッチスクリーンから入力された前記調整速度の値に基づいて、前記プレス板昇降手段を制御することを特徴とする請求項３に記載の表紙貼付機。
【請求項５】
前記本身の背面を切削するミーリング部と、前記ミーリング部によって切削された前記本身の背面に糊を塗布する糊付け部と、前記糊付け部によって糊が塗布された前記本身の背面に表紙を貼付ける、請求項１〜請求項４のいずれかに記載の前記表紙貼付機からなる表紙貼付部と、が順次一列に配置され、
前記表紙貼付部は、前記クランプユニットに前記本身をセットするための本身挿入部を兼ね、
前記クランプユニットは、前記ミーリング部、前記糊付け部、および前記本身挿入部を兼ねる前記表紙貼付部の列に平行に配置されたスライドガイドによって案内されて、前記本身挿入部を兼ねる前記表紙貼付部と前記ミーリング部との間において往復運動し、
前記クランプユニットが前記本身挿入部に位置するとき、前記本身が前記クランプユニットに挿入されて、前記本身の背面が前記プレス板に当接することで位置決めされた後、前記クランプユニットに挟持され、さらに、前記クランプユニットに挟持された前記本身は、前記本身挿入部から前記糊付け部を通り越して前記ミーリング部まで移動した後、前記ミーリング部から前記糊付け部を経て前記表紙貼付部まで移動し、当該移動の間に、前記本身の背面に切削処理がなされ、糊が塗布され、表紙が貼付けられることを特徴とする製本装置。
【発明の詳細な説明】
【技術分野】
【０００１】
本発明は、表紙貼付機および該表紙貼付機を備えた製本装置に関するものである。
【背景技術】
【０００２】
製本工程の１つとして、本身に表紙を貼付ける表紙貼付け工程があり、この工程においては、表紙貼付機が用いられる（例えば特許文献１参照）。表紙貼付機は、昇降するプレス板と、プレス板の上面に配置された一対のニップ板を備えている。【０００３】
表紙貼付け工程において、プレス板の上方における一対のニップ板の間隙に対向する所定位置に、本身の下端面（背面）が下方に向けて保持される。プレス板は下端の待機位置に配置され、本身の下端面に糊が塗布される。その後、プレス板が、下端の待機位置から上端のプレス位置に上昇することによって、本身の下端面に表紙が押しつけられる。プレス板が表紙を本身の下端面に押しつけた状態で、一対のニップ板が本身および表紙を挟み、表紙が本身の下端部の両側に押しつけられることによって、本身に表紙が貼り付けられる。【０００４】
従来の表紙貼付機は、本身の下端面に塗布された糊を所定の硬化度になるまで乾くように、プレス板が待機位置で停止する時間（ニッピング待ち時間）と、一対のニップ板が本身および表紙を挟む時間（ニッピング時間）と、を設定できる。糊が塗布された本身の下端面は保持され、ニッピング待ち時間経過後に、プレス板が下端の待機位置から上端のプレス位置に上昇して、表紙が本身の下端面に押しつけけられる。その後、一対のニップ板が本身および表紙を挟み、ニッピング時間経過後に、一対のニップ位置が互いに離れて、本身に表紙が貼り付けられる。
なお、従来の表紙貼付機は、表紙を貼り付けない場合に糊を乾かすための時間（天のり製本の待ち時間）も設定できる。そして、表紙貼付機は、天のり製本の待ち時間が経過したことをオペレータに知らせるために、音や光などの報知信号を発する。【０００５】
プレス板によって表紙が本身の下端面に押しつけられて、表紙が、本身の下端面の糊に貼り付けられ、さらに、本身の下端面に塗布された糊が本身の下端部の両側に流れる。そして、表紙が、一対のニップ板によって、本身の下端部の両側に流れた横糊に貼り付けられる。図１１（Ａ）の通り、本身４の下端面および下端部の両側に表紙１２が貼り付けられることによって、外観が綺麗で、良好な仕上がり品が得られる。【０００６】
ところが、糊の粘度が高い場合や周囲温度の条件などによって、従来の表紙貼付機では、良好な仕上がり品を製造できないことがある。図１１（Ｂ）の通り、本身４の下端部の両側に流れる横糊４０が不足して、本身４の下端部の両側に表紙１２が貼り付けられず、本身４の下端面にのみ表紙が貼り付けられたり、図１１（Ｃ）の通り、本身４の紙の間に糊４０が侵入して、表紙１２を付けた仕上がり品を綺麗にできない問題があった。
【先行技術文献】
【特許文献】
【０００７】
【特許文献１】特開２０１０−１７３０７０号公報
【発明の概要】
【発明が解決しようとする課題】
【０００８】
そこで、本発明の課題は、糊の粘度が高い場合などであっても、本身に対して表紙を綺麗に貼り付けることができる表紙貼付機を提供することにある。
【課題を解決するための手段】
【０００９】
上記課題を解決するために、本発明に係る第１の表紙貼付機は、
フレームと、
フレームに取り付けられ、下端の待機位置および上端のプレス位置の間において往復上下運動可能なプレス板と、
フレームに取り付けられ、プレス板を昇降させるプレス板昇降手段と、
プレス板の上面に、互いに平行に、かつ互いに近接および離間する方向にスライド運動可能に配置された一対のニップ板と、
プレス板に取り付けられ、一対のニップ板をスライドさせるニップ板駆動手段と、
フレームに設けられ、本身を、予め糊の塗布された背面が下向きになるように両側から挟持し、背面が一対のニップ板間の間隙の上方において当該間隙に対向するように配置するクランプユニットと、を備え、
プレス板上には表紙が配置されて、一対のニップ板を覆いかつ一対のニップ板を横切る方向にのび、さらに、
プレス板昇降手段およびニップ板駆動手段を制御する制御部を備えた表紙貼付機において、
制御部は、
プレス板を一対のニップ板とともに待機位置からプレス位置に近傍する調整位置まで上昇して、調整位置で、本身の背面に予め塗布された糊と、プレス板上に配置された表紙とが接するようにし、
プレス板を調整位置で所定の調整待ち時間だけ停止して、
プレス板を一対のニップ板とともに調整位置からプレス位置まで上昇して、
その後、一対のニップ板を互いに接近して、表紙を本身に貼付ける。
【００１０】
好ましくは、
制御部は、調整位置における調整待ち時間の値の入力を受けるためのタッチスクリーンを有し、タッチスクリーンから入力された調整待ち時間の値に基づいて、プレス板昇降手段を制御する。【００１１】
さらに、本発明に係る第２の表紙貼付機は、
フレームと、
フレームに取り付けられ、下端の待機位置および上端のプレス位置の間において往復上下運動可能なプレス板と、
フレームに取り付けられ、プレス板を昇降させるプレス板昇降手段と、
プレス板の上面に、互いに平行に、かつ互いに近接および離間する方向にスライド運動可能に配置された一対のニップ板と、
プレス板に取り付けられ、一対のニップ板をスライドさせるニップ板駆動手段と、
フレームに設けられ、本身を、予め糊の塗布された背面が下向きになるように両側から挟持し、背面が一対のニップ板間の間隙の上方において当該間隙に対向するように配置するクランプユニットと、を備え、
プレス板上には表紙が配置されて、一対のニップ板を覆いかつ一対のニップ板を横切る方向にのび、さらに、
プレス板昇降手段およびニップ板駆動手段を制御する制御部を備えた表紙貼付機において、
制御部は、
所定の上昇速度で、プレス板を一対のニップ板とともに待機位置からプレス位置に近傍する調整位置まで上昇して、調整位置で、本身の背面に予め塗布された糊と、プレス板上に配置された表紙とが接するようにし、
上昇速度より遅い所定の調整速度で、プレス板を一対のニップ板とともに調整位置からプレス位置まで上昇して、
その後、一対のニップ板を互いに接近して、表紙を本身に貼付ける。
【００１２】
好ましくは、
制御部は、調整位置における調整速度の値の入力を受けるためのタッチスクリーンを有し、タッチスクリーンから入力された調整速度の値に基づいて、プレス板昇降手段を制御する。【００１３】
さらに、本発明に係る製本装置は、
本身の背面を切削するミーリング部と、ミーリング部によって切削された本身の背面に糊を塗布する糊付け部と、糊付け部によって糊が塗布された本身の背面に表紙を貼付ける、上記の表紙貼付機からなる表紙貼付部と、が順次一列に配置され、
表紙貼付部は、クランプユニットに本身をセットするための本身挿入部を兼ね、
クランプユニットは、ミーリング部、糊付け部、および本身挿入部を兼ねる表紙貼付部の列に平行に配置されたスライドガイドによって案内されて、本身挿入部を兼ねる表紙貼付部とミーリング部との間において往復運動し、
クランプユニットが本身挿入部に位置するとき、本身がクランプユニットに挿入されて、本身の背面がプレス板に当接することで位置決めされた後、クランプユニットに挟持され、さらに、クランプユニットに挟持された本身は、本身挿入部から糊付け部を通り越してミーリング部まで移動した後、ミーリング部から糊付け部を経て表紙貼付部まで移動し、当該移動の間に、本身の背面に切削処理がなされ、糊が塗布され、表紙が貼付けられる。
【発明の効果】
【００１４】
本発明の表紙貼付機は、待機位置とプレス位置との間でプレス位置に近傍する調整位置を設定する。そして、第１の発明における表紙貼付機は、プレス板を待機位置から調整位置まで上昇させて、調整位置でプレス板を所定の調整待ち時間だけ停止した後、プレス板を調整位置からプレス位置まで上昇する。また、第２に発明における表紙貼付機は、所定の上昇速度でプレス板を待機位置から調整位置まで上昇させて、上昇速度よりも遅い所定の調整速度でプレス板を調整位置からプレス位置まで上昇する。【００１５】
その結果、糊の粘度が高い場合などであっても、本身の下端面に塗布された糊が、本身の下端部の両側に適度に流れ、その後で、一対のニップ板が表紙を挟むので、本身の下端面および本身の下端部の両側に表紙を貼り付けることができる。さらに、糊が本身の下端部の両側に流れた後で、プレス板がプレス位置まで上昇するので、本身の下端面に多くの糊が塗布された状態でプレス板を上昇することがなく、また、本身の下端面に塗布された糊に対して急激な圧力および余分な圧力を加えることがなく、本身の紙の間に糊が侵入することを防止できる。このように、本発明の表紙貼付機は、本身の下端部の両側に適度に糊を流すことができ、さらに、本身の紙の間に糊が侵入することを防止できるので、本身に対して表紙を綺麗に貼り付けることができる。
【図面の簡単な説明】
【００１６】
【図１】表紙貼付機が備えられた無線綴じ製本装置の斜視図であり、クランプユニットは運動経路の一方の端に位置している。
【図２】無線綴じ製本装置の斜視図であり、クランプユニットは運動経路の他方の端に位置している。
【図３】表紙貼付機の構成を示す正面図。
【図４Ａ】プレス板が待機位置にあるときの、表紙貼付機を示す斜視図。
【図４Ｂ】プレス板がプレス位置にあるときの、表紙貼付機を示す斜視図。
【図５】無線綴じ製本装置の制御系を示すブロック図。
【図６】表紙貼付機の制御部に備えられたタッチスクリーンの表示画面を示す平面図。
【図７Ａ】プレス板が待機位置にあるときの、表紙貼付機を示す側面図。
【図７Ｂ】プレス板が調整位置にあるときの、表紙貼付機を示す側面図。
【図８Ａ】プレス板がプレス位置にあるときの、表紙貼付機を示す側面図。
【図８Ｂ】ニップ板が本身および表紙を挟んだときの、表紙貼付機を示す側面図。
【図９】第１実施形態の表紙貼付け工程において、プレス板およびニップ板の動作を示すタイムチャート図。
【図１０】第２実施形態の表紙貼付け工程において、プレス板およびニップ板の動作を示すタイムチャート図。
【図１１Ａ】良好な仕上がり品を示す説明図。
【図１１Ｂ】表紙が本身の下端面にのみ貼り付けられた仕上がり品を示す説明図。
【図１１Ｃ】本身の紙の間に糊が侵入した仕上がり品を示す説明図。
【発明を実施するための形態】
【００１７】
以下、図面に基づいて本発明に係る表紙貼付機およびこの表紙貼付機を備えた製本装置について説明する。
【００１８】
［第１実施形態］
先ず、本発明に係る表紙貼付機の第１実施形態について説明する。
【００１９】
［構成］
図１および図２の通り、無線綴じ製本装置は、フレーム７に順次一列に配置された、ミーリング部１、糊付け部２、および、本発明による表紙貼付機からなる表紙貼付部３と、この列の上方において、本身４をその背面が下向きになるように両側から挟持し、この列に沿って移動するクランプユニット５を備えている。この無線綴じ製本装置においては、表紙貼付部３は、クランプユニット５に本身４をセットするための本身挿入部を兼ねている。
【００２０】
図示されないが、クランプユニット５は、一対の可動クランプ板と、一対の可動クランプ板を近接および離間する方向に動かす間隔調節機構を有している。
【００２１】
ミーリング部１は、フライス盤１ａと、フライス盤１ａ上に設けられた切削刃１ｂとを備えている。そして、本身４がミーリング部１を通過する間に、本身４の背面がフライス盤１ａによって均一に切削されるとともに、切削刃１ｂによって、切削された本身４の背面に、粗いピッチの傾斜した溝が形成される。
【００２２】
糊付け部２は、糊（例えば溶融したホットメルト接着剤）を収容する糊タンク２ａと、糊付けタンク２ａに設けられた糊付けドラム２ｂとを備え、ミーリング部１による処理を経た本身４の背面に糊を塗布する。
【００２３】
図示されないが、糊付け部２の糊タンク２ａおよび糊付けドラム２ｂは、クランプユニット５によって移動される本身４に係合する位置と、当該本身４から退避する位置との間で昇降する。
【００２４】
フレーム７には、一対のスライドガイド６が取り付けられる。一対のスライドガイド６は、ミーリング部１、糊付け部２、および本身挿入部を兼ねる表紙貼付部３の列の両側に平行に配置される。クランプユニット５は、一対のスライドガイド６によって案内され、ミーリング部１、糊付け部２、および本身挿入部を兼ねる表紙貼付部３の列の上方において、ミーリング部１および本身挿入部を兼ねる表紙貼付部３の間において往復直線運動する。無線綴じ製本装置は、また、ミーリング部１、糊付け部２、本身挿入部を兼ねる表紙貼付部３、およびクランプユニット５のそれぞれの動作を制御する制御部３０を備えている（図５参照）。
【００２５】
図３および図４の通り、本発明の表紙貼付機は、フレーム７に取り付けられ、下端の待機位置および上端のプレス位置の間において往復上下運動可能なプレス板８と、フレーム７に取り付けられ、プレス板８を昇降させるプレス板昇降手段と、プレス板８の上面に、互いに平行に、かつ互いに近接および離間する方向にスライド運動可能に配置された一対のニップ板９、１０と、プレス板８に取り付けられ、一対のニップ板９、１０をスライドさせるニップ板駆動手段とを備えている。そして、プレス板８の所定位置には、表紙１２が、一対のニップ板９、１０を覆いかつそれらを横切る方向にのびるように配置される。
【００２６】
この実施例では、プレス板８は四角形状を有し、一対のニップ板９、１０は、プレス板８の一対の対向する側縁に平行に配置される。そして、プレス板８は、当該対向する側縁の一方側をシャフト１１によってフレーム７に取り付けられ、シャフト１１の軸のまわりに揺動し、往復上下運動するようになっている。
【００２７】
プレス板８には、ニップ板９、１０の中央を直角に横切る方向にスリット（図示されない）が形成される。そして、プレス板８の下面には、スリットに平行にのびる送りネジ１７が、一対の支持部材１６ａ、１６ｂを介して取り付けられる。各支持部材１６ａ、１６ｂには軸受が備えられ、送りネジ１７は、これらの軸受によって、軸まわりに回転可能に支持される。また、ニップ板９、１０は、それぞれ、下面に拡張部９ａ、１０ａを備えている。各拡張部９ａ、１０ａは、ネジ溝を有する貫通孔を備えており、スリットを貫通して下方に突出し、さらに貫通孔を通じて送りネジ１７に螺合している。送りネジ１７は、スリットに対応する位置の両側において、ネジの向きが異なっており、よって、送りネジ１７の回転に伴って、一対のニップ板９、１０は、スリットに沿って互いに近接および離間する方向にスライド運動する。
【００２８】
プレス板８の下面には、支持部材１６ｂから突出する送りネジ１７の端に対向する垂直な固定板１４が取り付けられ、固定板１４には、ニップ板駆動モータ１３が固定される。ニップ板駆動モータ１３の駆動軸１３ａは、送りネジ１７の下側にこれに平行に配置される。そして、ニップ板駆動モータ１３の駆動軸１３ａにはプーリー１５が取り付けられる一方、それに対向する送りネジ１７の端には、プーリー１８が取り付けられる。さらに、プーリー１５およびプーリー１８の間には、エンドレスベルト１９が張られる。こうして、ニップ板駆動モータ１３の駆動によって、送りネジ１７が回転し、一対のニップ板９、１０がスリットに沿ってスライド運動する。ニップ板駆動モータ１３は、制御部３０によって制御される（図５参照）。
【００２９】
この実施例では、ニップ板駆動手段は、スリット、送りネジ１７、プーリー１５、プーリー１８、エンドレスベルト１９およびニップ板駆動モータ１３から構成される。
【００３０】
なお、ニップ板駆動手段は、上記の構成に限らず、油圧ピストンや電動ピストンなどを用いた様々な構成を適用できる。
【００３１】
プレス板昇降手段は、本身４の天側に位置するプレス板８の第１の端部Ｘを昇降させる第１の昇降部と、本身４の地側に位置するプレス板８の第２の端部Ｙを昇降させる第２の昇降部とから構成される。
【００３２】
この実施例では、プレス板昇降手段の第１の昇降部は、フレーム７に取り付けられ、プレス板８の第１の端部Ｘの下側に配置された第１のステッピングモータ２０と、第１のステッピングモータ２０の駆動軸２０ａに固定された第１の板カム２１と、プレス板８の第１の端部Ｘの下面に突設された第１のロッド２８と、第１のロッド２８の先端部にピン２３によって取り付けられ、第１の板カム２１の縁に上側から当接する第１のローラ２２とを備えている。そして、第１のステッピングモータ２０の駆動によって第１の板カム２１が回転し、それに伴って第１のロッド２８が昇降し、プレス板８の第１の端部Ｘが昇降する。
【００３３】
また、プレス板昇降手段の第２の昇降部は、フレーム７に取り付けられ、プレス板８の第２の端部Ｙの下側に配置された第２のステッピングモータ２４と、第２のステッピングモータ２４の駆動軸２４ａに固定された第２の板カム２５と、プレス板８の第２の端部Ｙの下面に突設された第２のロッド２９と、第２のロッド２９の先端部にピン２７によって取り付けられ、第２の板カム２５の縁に上側から当接する第２のローラ２６とを備えている。そして、第２のステッピングモータ２４の駆動によって第２の板カム２５が回転し、それに伴って第２のロッド２９が昇降し、プレス板８の第２の端部Ｙが昇降する。
【００３４】
第１および第２のステッピングモータ２０、２４は、制御部３０によってそれぞれに独立に制御できる（図５参照）。そして、第１および第２のステッピングモータ２０、２４の回転量、よって、第１および第２の板カム２１、２５の回転角度が互いに異なる値に設定されることにより、プレス板８のプレス位置が、第１および第２の端部Ｘ、Ｙで異なる高さレベルに設定できる。
【００３５】
なお、第１および第２の端部Ｘ，Ｙで異なる高さレベルに設定しない場合、プレス板昇降手段は、１つのステッピングモータ、１つの板カムなどを用いた構成でもよい。また、プレス板昇降手段は、上記の構成に限らず、油圧ピストンや電動ピストンなどを用いた様々な構成を適用できる。
【００３６】
［動作］
こうして、図１に示されるように、クランプユニット５が本身挿入部３（ガイドレール６の一方の端）に位置するとき、第１および第２のステッピングモータ２０、２４が制御部３０から制御信号を受けて駆動し、プレス板８が待機位置とプレス位置の間の基準位置まで移動する。そして、本身４が背面を下向きにしてクランプユニット５に挿入され、本身４の下端面（背面）が基準位置にあるプレス板８に当接することで位置決めされた後、クランプユニット５に挟持される。この場合、第１および第２のステッピングモータ２０、２４の駆動軸の回転量を調節することにより、プレス板８の基準位置の高さレベルが容易に調節できる。それによって、ミーリング部１のフライス盤１ａおよび切削刃１ｂの高さレベルや、糊付け部２の糊タンク２ａおよび糊付けドラム２ｂの高さレベルを調節する機構を備えなくても、本身４をクランプユニット５に挟持する時点で、本身４の背面に対するそれらの高さレベルを調節し、本身４の切削量や本身４に塗布される糊の量を容易に調節することができる。
【００３７】
その後、プレス板８が基準位置から待機位置まで下降し、クランプユニット５に挟持された本身４は、図２に示されるように、本身挿入部３から糊付け部２を通り越してガイドレール６の他方の端まで移動する。この移動の間に、本身４の背面が均一に切削されるとともに、切削された面に一定ピッチの傾斜した溝が付けられる。一方、糊付け部２の糊タンク２ａおよび糊付けドラム２ｂは本身４から退避した位置に下降している。
【００３８】
クランプユニット５がガイドレール６の他方の端に達すると、表紙貼付部３のプレス板８上の所定位置に表紙１２が配置され、さらに、糊付け部２の糊タンク２ａおよび糊付けドラム２ｂが本身４と係合する位置まで上昇する。そして、クランプユニット５に挟持された本身４は、ミーリング部１から糊付け部２を経て表紙貼付部３まで移動し、移動の間に、ミーリング部１において本身４の背面に一定ピッチの前と逆向きに傾斜した溝が付けられ、糊付け部２において本身４の背面に糊が塗布される。
【００３９】
次に、図７〜図９に基づいて、本身に表紙を貼付ける表紙貼付け工程について説明する。
【００４０】
図７（Ａ）の通り、表紙貼付部３において、クランプユニット５によって挟持された本身４は、糊の塗布された背面が一対のニップ板９、１０間の間隙の上方において当該間隙に対向するように配置される。このとき、プレス板８は下端の待機位置に配置されている。本身４の下端面に塗布された糊が所定の硬化度になるまで乾くように、本身４が一対のニップ板８，１０間の上方に配置された時から所定の時間（ニッピング待ち時間）が経過するまで、プレス板８は下端の待機位置で停止する。
【００４１】
その後、図７（Ｂ）の通り、制御部３０から第１および第２のステッピングモータ２０、２４に対して制御信号が送信され、待機位置にあるプレス板８が一対のニップ板９、１０とともに調整位置まで上昇する。そして、プレス板８は、調整位置で所定の調整待ち時間だけ停止する。
プレス板８が調整位置で所定の調整待ち時間だけ停止することによって、表紙１２が本身４の背面に押しつけられ、本身４の下端面に塗布された糊４０が、本身４の下端部の両側に適度に流れる。
【００４２】
調整位置は、下端の待機位置と上端のプレス位置との間であって、プレス位置に非常に近傍して配置される。調整位置は、プレス位置から例えば０．１〜０．８ｍｍだけ離れて、プレス位置の下方に配置される。また、調整待ち時間は、例えば２〜６秒である。調整位置および調整待ち時間は、糊の塗布量や粘度、周囲温度の条件などに応じて設定される。
【００４３】
その後、図８（Ａ）の通り、制御部３０から第１および第２のステッピングモータ２０、２４に対して制御信号が送信され、調整位置にあるプレス板８が一対のニップ板９、１０とともに上端のプレス位置まで上昇して停止する。これにより、プレス板８によって表紙１２が本身４の下端面に押しつけられ、本身４の下端面の糊４０に表紙１２が貼り付けられる。
【００４４】
その後、図８（Ｂ）の通り、制御部３０からニップ板駆動モータ１３に対して制御信号が送信され、プレス位置において、一対のニップ板９、１０が互いに接近して本身４の下端部を表紙１２とともに両側から締付ける。これにより、本身４の下端部の両側の横糊４０に表紙１２が貼り付けられる。従って、一対のニップ板９，１０が本身４および表紙１２を締め付ける所定の時間（ニッピング時間）が経過するまで、プレス板８はプレス位置で停止する。
【００４５】
その後、一対のニップ板９，１０が互いに離れて、プレス位置にあるプレス板８が待機位置に下降して、表紙貼付け工程が終了する。
【００４６】
上記の通り、プレス板８がプレス位置に近傍する調整位置で調整待ち時間だけ一時停止することによって、本身４の下端面に塗布された糊４０が、本身４の下端部の両側に適度に流れる。さらに、糊４０が本身４の下端部の両側に流れた後で、プレス板８がプレス位置まで上昇するので、本身４の下端面に多くの糊４０が塗布された状態でプレス板８を上昇することがなく、また、本身４の下端面に塗布された糊４０に対して急激な圧力および余分な圧力を加えることがなく、本身４の紙の間に糊４０が侵入することを防止できる。
【００４７】
図５に示されるように、この実施例では、制御部３０は、タッチスクリーン３１を有している。タッチスクリーン３１は、無線綴じ製本装置の操作に必要な種々の設定を行うための設定画面を表示する。図６には、タッチスクリーン３１に表示される設定画面の１例が示されている。図６の設定画面では、「ミーリング」、「クランパ」および「ニッピング」のタグを切り替えることで、ミーリング動作時、クランプ動作時およびニッピング動作時の設定を行うことができる。
【００４８】
図６に示されるように、ニッピング設定画面では、一対のニップ板９、１０による本身４の締付けの強さを設定する画面領域３１ａと、プレス板８の基準位置の高さレベルを設定する画面エリア３１ｃと、本身４の背側と地側で厚みが異なる場合に、プレス板８のプレス位置での傾き（背側の端部と地側の端部のそれぞれの高さレベル）を設定する画面エリア３１ｅと、が設けられる。
【００４９】
さらに、ニッピング設定画面では、ニッピング時間を設定する画面エリア３１ｂと、ニッピング待ち時間を設定する画面エリア３１ｄと、調整待ち時間を設定する画面エリア３１ｆと、が設けられる。
【００５０】
そして、画面領域３１ａ〜３１ｆには、それぞれ、設定値を増加させるための「＋」ボタンと、設定値を減少させるための「−」ボタンが設けられ、これらのボタンを押すことによって各設定値を簡単に入力することができる。例えば、画面エリア３１ｆでは、「＋」ボタンを押すことによって、調整待ち時間を増大でき（例えば６秒）、「−」ボタンを押すことによって、調整待ち時間を減少できる（例えば２秒）。
【００５１】
また、図示はされないが、ミーリング設定画面では、例えば、本身挿入位置３におけるプレス板８の基準位置の高さレベルを設定することができ、クランパ設定画面では、例えば、クランプユニット５の本身４を挟持する強さや、クランプユニット５の移動速度を設定することができる。
【００５２】
タッチスクリーン３１から入力された設定値は、制御部３０の（図示されない）メモリに格納される。そして、制御部３０は、メモリに格納された設定値に基づき、ミーリング部１、糊付け部２およびクランプユニット５を制御するとともに、第１および第２のステッピングモータ２０、２４、およびニップ板駆動モータ１３を制御する。
【００５３】
本実施形態では、調整位置の高さレベルは、制御部３０のメモリに予め設定されている（例えばプレス位置から下方に０．２ｍｍ離れた高さレベル）。なお、ニッピング設定画面に、プレス板８の調整位置の高さレベルを設定する画面エリアが設けて、調整位置の高さレベルを設定してもよい。
【００５４】
［第２実施形態］
次に、本発明に係る表紙貼付機の第２実施形態について説明する。なお、重複説明を避けるため、上記の第１実施形態と異なる点のみ説明する。
【００５５】
図７、図８および図１０に基づいて、本身に表紙を貼付ける表紙貼付け工程について説明する。
【００５６】
図７（Ａ）の通り、表紙貼付部３において、クランプユニット５によって挟持された本身４は、糊の塗布された背面が一対のニップ板９、１０間の間隙の上方において当該間隙に対向するように配置される。このとき、プレス板８は下端の待機位置に配置されている。本身４の下端面に塗布された糊が所定の硬化度になるまで乾かすために、本身４が一対のニップ板８，１０間の上方に配置された時から所定の時間（ニッピング待ち時間）が経過するまで、プレス板８は下端の待機位置で停止する。
【００５７】
その後、図７（Ｂ）の通り、制御部３０から第１および第２のステッピングモータ２０、２４に対して制御信号が送信され、待機位置にあるプレス板８が一対のニップ板９、１０とともに調整位置まで所定の上昇速度で上昇する。
プレス板８が調整位置まで上昇することによって、表紙１２が本身４の背面に押しつけられ、本身４の下端面に塗布された糊４０が、本身４の下端部の両側に適度に流れる。
【００５８】
調整位置は、下端の待機位置と上端のプレス位置との間であって、プレス位置の近傍に配置される。調整位置は、プレス位置から例えば０．１〜０．８ｍｍだけ離れて、プレス位置の下方に配置される。
【００５９】
その後、図８（Ａ）の通り、制御部３０から第１および第２のステッピングモータ２０、２４に対して制御信号が送信され、調整位置にあるプレス板８が一対のニップ板９、１０とともに上端のプレス位置まで上昇して停止する。これにより、プレス板８によって表紙１２が本身４の下端面に押しつけられ、本身４の下端面の糊４０に表紙１２が貼り付けられる。
【００６０】
プレス板８は、所定の調整速度で調整位置からプレス位置まで上昇する。調整速度は、上昇速度に比べて非常に遅く設定され、例えば上昇速度に対して５〜２０％である。
【００６１】
その後、図８（Ｂ）の通り、制御部３０からニップ板駆動モータ１３に対して制御信号が送信され、プレス位置において、一対のニップ板９、１０が互いに接近して本身４の下端部を表紙１２とともに両側から締付ける。これにより、本身４の下端部の両側の横糊４０に表紙１２が貼り付けられる。従って、一対のニップ板９，１０が本身４および表紙１２を締め付ける所定の時間（ニッピング時間）が経過するまで、プレス板８はプレス位置で停止する。
【００６２】
その後、一対のニップ板９，１０が互いに離れて、プレス位置にあるプレス板８が待機位置に下降して、表紙貼付け工程が終了する。
【００６３】
上記の通り、プレス板８がプレス位置に近傍する調整位置から、非常に遅い調整速度で上昇することによって、本身４の下端面に塗布された糊４０が、本身４の下端部の両側に適度に流れる。さらに、糊４０が本身４の下端部の両側に流れた後で、プレス板８がプレス位置まで上昇するので、本身４の下端面に多くの糊４０が塗布された状態でプレス板８を上昇することがなく、また、本身４の下端面に塗布された糊４０に対して急激な圧力および余分な圧力を加えることがなく、本身４の紙の間に糊４０が侵入することを防止できる。
【００６４】
図示しないが、ニッピング設定画面では、調整速度を設定する画面エリアが設けられる。そして、「＋」ボタンを押すことによって、調整速度を増大でき（例えば上昇速度に対して２０％）、「−」ボタンを押すことによって、調整速度を減少できる（例えば上昇速度に対して５％）。
【００６５】
また、上記実施例では、本発明による表紙貼付機を無線綴じ製本装置の表紙貼付部に適用したが、本発明による表紙貼付機を、本身に表紙を貼付けるための単独の装置として使用することもできる。
【符号の説明】
【００６６】
１  ミーリング部
２  糊付け部
３  表紙貼付部
４  本身
５  クランプユニット
６  スライドガイド
７  フレーム
８  プレス板
９，１０  一対のニップ板
１２  表紙
３０  制御部
３１  タッチスクリーン
４０  糊
【図１】
0005913322.tif 000002
【図２】
0005913322.tif 000003
【図３】
0005913322.tif 000004
【図４Ａ】
0005913322.tif 000005
【図４Ｂ】
0005913322.tif 000006
【図５】
0005913322.tif 000007
【図６】
0005913322.tif 000008
【図７Ａ】
0005913322.tif 000009
【図７Ｂ】
0005913322.tif 000010
【図８Ａ】
0005913322.tif 000011
【図８Ｂ】
0005913322.tif 000012
【図９】
0005913322.tif 000013
【図１０】
0005913322.tif 000014
【図１１Ａ】
0005913322.tif 000015
【図１１Ｂ】
0005913322.tif 000016
【図１１Ｃ】
0005913322.tif 000017